(57)【要約】【課題】屋根面に高密度でソーラーパネルを配置する。【解決手段】屋根面２にソーラーパネル６が搭載された屋根構造である。ソーラーパネル６の少なくとも一方のケラバ側Ｓ３の端縁６ｄは、ケラバから控えた位置で終端している。ソーラーパネル６の端縁６ｄとケラバとの隙間２６には、ケラバ側化粧カバー３１が配されている。ソーラーパネル６の内方の下地鋼板５は、ケラバ側化粧カバー３１の内方を通ってケラバ側Ｓ３にのび、かつ、ケラバ側Ｓ３で上向きに折り返された返し部１６を有している。【選択図】図４
2014189993.tif 000002
【特許請求の範囲】
【請求項１】
屋根面にソーラーパネルが搭載された屋根構造であって、
野地板と、
前記野地板の外側に配された金属製の下地鋼板と、
前記下地鋼板を介して前記野地板の外側に固着されたソーラーパネルとを含み、
前記ソーラーパネルの少なくとも一方のケラバ側の端縁は、ケラバから控えた位置で終端しており、
前記ソーラーパネルの前記端縁と前記ケラバとの隙間には、ケラバ側化粧カバーが配されており、
前記ソーラーパネルの内方の前記下地鋼板は、前記ケラバ側化粧カバーの内方を通ってケラバ側にのび、かつ、ケラバ側で上向きに折り返された返し部を有していることを特徴とする屋根構造。
【請求項２】
前記ソーラーパネルの前記端縁には、前記ケラバ側化粧カバーの内方を通って側方にのびている重複部が設けられている請求項１記載の屋根構造。
【請求項３】
前記重複部は、前記ケラバ側化粧カバーの内面で、前記屋根面に沿ってのびる本体と、前記本体のケラバ側の端部で上方にのびる突片とを含む請求項２記載の屋根構造。
【請求項４】
前記返し部は、前記ケラバ側化粧カバーをケラバ側に超えた位置に設けられている請求項１乃至３のいずれかに記載の屋根構造。
【請求項５】
前記返し部の妻側には、屋根縁カバーが取り付けられており、
前記屋根縁カバーは、前記返し部に沿った基片と、前記基片の上端で前記ケラバ側化粧カバー側に折れ曲がる折返し片とを含んでいる請求項１乃至４のいずれかに記載の屋根構造。
【請求項６】
前記ケラバ側化粧カバーのケラバ側の端縁には、前記屋根縁カバーの前記折返し片の内方を通ってケラバ側にのびる延長部が設けられている請求項５に記載の屋根構造。
【請求項７】
前記延長部は、前記ケラバ側化粧カバーの内面で、前記屋根面に沿ってのびる本体と、前記本体のケラバ側の端部で上方にのびる突片とを有している請求項６に記載の屋根構造。
【請求項８】
棟と、前記ソーラーパネルの棟側の端縁との隙間には、棟側化粧カバーが配されており、
前記ソーラーパネルの内方の前記下地鋼板は、前記棟側化粧カバーの内方を通って棟側にのび前記棟側化粧カバーを超えた位置までのびている請求項１乃至７のいずれかに記載の屋根構造。
【請求項９】
前記ケラバ側化粧カバーは、前記屋根面に沿ってのびる溝が複数形成された波板状である請求項１乃至８のいずれかに記載の屋根構造。
【請求項１０】
前記ソーラーパネルの搭載容量が１０ｋＷ以上である請求項１乃至９のいずれかに記載の屋根構造。
【請求項１１】
前記屋根構造は、片流れである請求項１乃至１０のいずれかに記載の屋根構造。
【発明の詳細な説明】
【技術分野】
【０００１】
本発明は、高出力のソーラーパネルが搭載された片流れの屋根構造に関する。
【背景技術】
【０００２】
近年、地球環境を保護するために、ソーラーパネルを搭載した住宅が種々提案されている。関連する文献としては、次のものがある。
【先行技術文献】
【特許文献】
【０００３】
【特許文献１】特開２００８−２３１９１４号公報
【特許文献２】特開２００５−２６４６１８号公報
【発明の概要】
【発明が解決しようとする課題】
【０００４】
ところで、プレハブ住宅は、予め設定されたモジュール（例えば、９００mm）の整数倍で定められた屋根寸法を有する。
【０００５】
他方、ソーラーパネルも、予め定められたモジュールのソーラーモジュールパネルの複数枚を並べて形成されている。
【０００６】
一般的に、プレハブメーカの屋根のモジュールと、ソーラーパネルメーカのモジュールとは異なっているので、プレハブ住宅の屋根面に、ソーラーパネルを隙間なく搭載することは困難である。このため、ソーラーパネルが搭載された屋根面は、ソーラーパネルからなる第１部分と、少なくともそのケラバ側に瓦等の屋根葺き材が配置された第２部分とを有する。また、第２部分も、瓦のモジュール等、寸法に制約を受ける。
【０００７】
以上のような従来技術では、種々の部材の寸法の制約があり、屋根面に高密度でソーラーパネルを配置することが困難という問題があった。
【０００８】
本発明は、以上のような問題点に鑑み案出なされたもので、屋根面に高密度でソーラーパネルを配置することが可能な屋根構造を提供することを課題としている。
【課題を解決するための手段】
【０００９】
本発明のうち請求項１記載の発明は、屋根面にソーラーパネルが搭載された屋根構造であって、野地板と、前記野地板の外側に配された金属製の下地鋼板と、前記下地鋼板を介して前記野地板の外側に固着されたソーラーパネルとを含み、前記ソーラーパネルの少なくとも一方のケラバ側の端縁は、ケラバから控えた位置で終端しており、前記ソーラーパネルの前記端縁と前記ケラバとの隙間には、ケラバ側化粧カバーが配されており、前記ソーラーパネルの内方の前記下地鋼板は、前記ケラバ側化粧カバーの内方を通ってケラバ側にのび、かつ、ケラバ側で上向きに折り返された返し部を有していることを特徴とする。
【００１０】
また、請求項２記載の発明は、前記ソーラーパネルの前記端縁には、前記ケラバ側化粧カバーの内方を通って側方にのびている重複部が設けられている請求項１記載の屋根構造である。
【００１１】
また、請求項３記載の発明は、前記重複部は、前記ケラバ側化粧カバーの内面で、前記屋根面に沿ってのびる本体と、前記本体のケラバ側の端部で上方にのびる突片とを含む請求項２記載の屋根構造である。
【００１２】
また、請求項４記載の発明は、前記返し部は、前記ケラバ側化粧カバーをケラバ側に超えた位置に設けられている請求項１乃至３のいずれかに記載の屋根構造である。
【００１３】
また、請求項５記載の発明は、前記返し部の妻側には、屋根縁カバーが取り付けられており、前記屋根縁カバーは、前記返し部に沿った基片と、前記基片の上端で前記ケラバ側化粧カバー側に折れ曲がる折返し片とを含んでいる請求項１乃至４のいずれかに記載の屋根構造である。
【００１４】
また、請求項６記載の発明は、前記ケラバ側化粧カバーのケラバ側の端縁には、前記屋根縁カバーの前記折返し片の内方を通ってケラバ側にのびる延長部が設けられている請求項５に記載の屋根構造である。
【００１５】
また、請求項７記載の発明は、前記延長部は、前記ケラバ側化粧カバーの内面で、前記屋根面に沿ってのびる本体と、前記本体のケラバ側の端部で上方にのびる突片とを有している請求項６に記載の屋根構造である。
【００１６】
また、請求項８記載の発明は、棟と、前記ソーラーパネルの棟側の端縁との隙間には、棟側化粧カバーが配されており、前記ソーラーパネルの内方の前記下地鋼板は、前記棟側化粧カバーの内方を通って棟側にのび前記棟側化粧カバーを超えた位置までのびている請求項１乃至７のいずれかに記載の屋根構造である。
【００１７】
また、請求項９記載の発明は、前記ケラバ側化粧カバーは、前記屋根面に沿ってのびる溝が複数形成された波板状である請求項１乃至８のいずれかに記載の屋根構造である。
【００１８】
また、請求項１０記載の発明は、前記ソーラーパネルの搭載容量が１０ｋＷ以上である請求項１乃至９のいずれかに記載の屋根構造である。
【００１９】
また、請求項１１記載の発明は、前記屋根構造は、片流れである請求項１乃至１０のいずれかに記載の屋根構造である。
【発明の効果】
【００２０】
本発明の屋根構造は、野地板の外側に配された金属製の下地鋼板と、この下地鋼板を介して野地板の外側に固着されたソーラーパネルとを含んでいる。不燃材である下地鋼板は、耐火性能に優れる屋根を提供できる。
【００２１】
また、ソーラーパネルの少なくとも一方のケラバ側の端縁は、ケラバから控えた位置で終端しており、この端縁とケラバとの隙間には、ケラバ側化粧カバーが配されている。このため、ソーラーパネルの端縁とケラバとの間の寸法は、瓦寸法の制約を受けず、自由に定められる。従って、屋根面には、前記隙間の寸法を気にすることなく、ソーラーパネルが最大限に搭載され得る。
【００２２】
さらに、ソーラーパネルの内方の下地鋼板は、ケラバ側化粧カバーの内方を通ってケラバ側にのびている。従って、瓦を用いることなく、前記隙間の部分にも耐火性能が得られる。また、ケラバ側化粧カバーには、任意の材料が採用できる。
【００２３】
さらに、下地鋼板は、ケラバ側で上向きに折り返された返し部を有している。このため、下地鋼板により、水仕舞することができる。
【図面の簡単な説明】
【００２４】
【図１】本実施形態の屋根構造が適用された建物の正面図である。
【図２】図１の側面図である。
【図３】図１のＡ１−Ａ１断面図である。
【図４】図２のＡ２−Ａ２断面図である。
【図５】図３の棟側の拡大図である。
【図６】図３の軒側の拡大図である。
【図７】図４のケラバ側化粧カバーの拡大図である。
【発明を実施するための形態】
【００２５】
以下、本発明の実施の一形態が図面に基づき説明される。
図１及び図２に示されるように、本発明の屋根構造は、例えば、住宅やビル等の建物Ｂに適用される。本実施形態の屋根構造は、例えば、棟側Ｓ１から軒側Ｓ２に向かって一方向のみに勾配がある片流れとして構成されている。このような片流れの屋根構造は、例えば、切妻や寄棟などの屋根に比べて、広い単一平面からなる屋根面２が得られる。
【００２６】
図３及び図４に示されるように、本実施形態の屋根構造は、垂木３等で支持された野地板４と、野地板４の外側に配された金属製の下地鋼板５と、この下地鋼板５を介して野地板４の外側に固着されたソーラーパネル６とを含んでいる。
【００２７】
垂木３は、例えばＩ形鋼、Ｈ形鋼等の鋼材からなる屋根梁８に固定金具９を介して取付けられる。本実施形態の垂木３は、棟側Ｓ１から軒側Ｓ２に向かって下降する勾配を有している。また、垂木３には、軒側Ｓ２の端部に、軒側下地材１１が固着されている。この軒側下地材１１には、軒樋１２が固着されている。さらに、垂木３には、棟側Ｓ１の端部に固着される棟側下地材１３と、ケラバ側Ｓ３の端部に固着されるケラバ側下地材１４が設けられる。
【００２８】
野地板４は、例えば、強度の高い構造用合板からなる。野地板４は、例えば、垂木３の勾配に沿って固着されている。また、本実施形態の野地板４の外面には、例えば、雨水の進入を防ぐために、防水シート層（図示省略）が敷設されるのが望ましい。防水シート層としては、特に限定されないが、防水性、及び柔軟性に優れるアスファルトルーフィングや透湿防水シート等が好ましい。
【００２９】
本実施形態の下地鋼板５は、防水シート層（図示省略）を介して、野地板４の外側に配置される。下地鋼板５は、不燃性の金属からなる。このため、下地鋼板５は、例えば、瓦等を用いることなく耐火性能に優れる屋根を構成することができる。
【００３０】
図４に示されるように、下地鋼板５は、ソーラーパネル６の内方を通って、ケラバ側Ｓ３にのびている。さらに、下地鋼板５は、ケラバ側Ｓ３で上向きに折り返された返し部１６を有している。このような返し部１６は、ケラバ側Ｓ３において、下地鋼板５の上面の雨水が野地板４側に回り込むのを防いで、効果的に水仕舞することができる。
【００３１】
さらに、図５に示されるように、下地鋼板５は、ソーラーパネル６の内方を通って、棟側Ｓ１にのびている。さらに、本実施形態の下地鋼板５は、棟側Ｓ１で上向きに折り返された返し部１９が設けられている。このような返し部１９は、棟側Ｓ１を、効果的に水仕舞することができる。
【００３２】
図３に示されるように、ソーラーパネル６は、屋根勾配に沿って配置される。本実施形態では、屋根面２が単一平面からなるため、ソーラーパネル６と屋根面２との寸法（モジュール等）の制約を最小限に抑えて、ソーラーパネル６を高密度で配置することができる。従って、本実施形態では、ソーラーパネル６の搭載容量を大きくすることができ、ソーラーパネル６の発電効率を向上させることができる。ソーラーパネル６の発電効率を向上させるために、屋根面２は、例えば、南東から南西までの方角に向くように形成されるのが望ましい。さらに、屋根勾配は、２〜６寸勾配が望ましい。なお、屋根勾配は、ソーラーパネル６の上面で測定されるものとする。
【００３３】
また、ソーラーパネル６の搭載容量は、好ましくは、１０ｋＷ以上である。なお、ソーラーパネル６の搭載容量は、ソーラーパネル１枚当たりの公称最大出力に、屋根面２に配置されるソーラーパネルの搭載枚数を乗じることにより求めることができる。また、公称最大出力は、ＪＩＳ  Ｃ８９１８に基づいて、分光分布ＡＭ１．５、放射照度１ｋＷ/m2、及びモジュール温度２５℃において測定された値である。
【００３４】
本実施形態のソーラーパネル６は、野地板４の上方に配置される太陽光電池モジュール１７と、太陽光電池モジュール１７を野地板４の上で支持する固着具１８とを含んで構成されている。
【００３５】
図４及び図５に示されるように、固着具１８は、野地板４に下地鋼板５を介して固定される支持部２１と、支持部２１に固着されかつ太陽光電池モジュール１７の端部を把持する把持部２２とを含んで構成されている。また、支持部２１は、太陽光電池モジュール１７の屋根の流れ方向の両端側に配置される支持金具２４（図５に示す）と、屋根の流れ方向と直交する方向にのびる横桟２５（図４に示す）とを含んでいる。
【００３６】
図４に示されるように、ソーラーパネル６は、屋根の流れ方向と直交する方向において、少なくとも一方、本実施形態では両方のケラバ側の端縁６ｓ、６ｓが、ケラバから控えた位置で終端している。これにより、ソーラーパネル６のケラバ側の端縁６ｓとケラバとの間には、隙間２６が形成される。
【００３７】
また、図６に示されるように、本実施形態では、ソーラーパネル６の軒側の端縁６ｄが、軒から控えた位置で終端している。これにより、ソーラーパネル６の軒側の端縁６ｄと、軒との間には、隙間２７が形成される。さらに、図５に示されるように、ソーラーパネル６の棟側の端縁６ｕは、棟から控えた位置で終端している。これにより、ソーラーパネル６の棟側の端縁６ｕと、棟との間には、隙間２８が形成される。
【００３８】
このように、本実施形態では、屋根面２のケラバ側Ｓ３、軒側Ｓ２及び棟側Ｓ１に、隙間２６、２７及び２８がそれぞれ形成されるため、ソーラーパネル６を、屋根面２からはみ出させることなく配置することができる。
【００３９】
図４に示されるように、ソーラーパネル６の端縁６ｓとケラバとの間の隙間２６には、ケラバ側化粧カバー３１が配されている。このようなケラバ側化粧カバー３１は、瓦寸法（瓦のモジュール等）の制約を受けることなく、隙間２６の寸法を自由に定めることができる。従って、ケラバ側化粧カバー３１は、隙間２６の寸法を気にすることなく、ソーラーパネル６を屋根面２に最大限に搭載するのに役立つ。
【００４０】
本実施形態では、下地鋼板５が、ケラバ側化粧カバー３１の内方を通ってケラバ側Ｓ３にのびている。さらに、返し部１６は、ケラバ側化粧カバー３１をケラバ側Ｓ３に超えた位置に設けられている。従って、屋根構造は、例えば、瓦を用いることなく、隙間２６の部分にも耐火性能を得ることができる。また、ケラバ側化粧カバー３１には、不燃性が要求されないため、例えば、金属の他、樹脂等の任意の材料を採用することができる。
【００４１】
図１及び図４に示されるように、本実施形態のケラバ側化粧カバー３１は、屋根の流れ方向と直交する方向において、上方に向かって突出する複数の凸部３３と、凸部３３から下方に突出する複数の溝３４とが交互に複数形成された波板状に形成されている。また、凸部３３及び溝３４は、屋根面２に沿ってのびている。このようなケラバ側化粧カバー３１は、ケラバ側化粧カバー３１の上面の雨水を、屋根面２（屋根勾配）に沿って円滑に排出することができる。なお、凸部３３及び溝３４の数、並びに、ケラバ側化粧カバー３１の屋根の流れ方向と直交する方向の長さは、隙間２６の大きさにより適宜設定することができる。
【００４２】
また、本実施形態のケラバ側化粧カバー３１は、凸部３３の上面の高さと、該凸部３３と隣り合う太陽光電池モジュール１７の上面の高さとが、略同一に設定されている。さらに、ケラバ側化粧カバー３１は、屋根面２のケラバ側Ｓ３において、屋根勾配に沿ってのびる溝模様を形成することができる。従って、ケラバ側化粧カバー３１は、屋根面２の美観性を向上させることができる。
【００４３】
図７に拡大して示されるように、ケラバ側化粧カバー３１は、野地板４に固着される支持部４１の上に配置されている。支持部４１は、野地板４に固着されるベース部４２と、ベース部４２に固着される横桟４３とを含んでいる。
【００４４】
ベース部４２は、例えば、ハット形鋼からなり、横桟４３の両側にそれぞれ配置されている。また、横桟４３は、例えば、溝形鋼からなり、屋根の流れ方向と直交する方向にのびている。このような支持部４１は、ケラバ側化粧カバー３１の溝３４に沿った曲げ変形を効果的に防ぐことができる。
【００４５】
本実施形態のソーラーパネル６のケラバ側Ｓ３の端縁６ｓには、ケラバ側化粧カバー３１の内方を通って側方にのびている重複部４５が設けられている。このような重複部４５は、ソーラーパネル６とケラバ側化粧カバー３１との隙間の寸法を気にすることなく、該隙間から雨水が浸入するのを防ぐことができる。
【００４６】
本実施形態の重複部４５は、ケラバ側化粧カバー３１の内面で、屋根面２に沿ってのびる本体４６と、本体４６のケラバ側Ｓ３の端部で上方にのびる第１の突片４７とを含んでいる。さらに、重複部４５は、本体４６のソーラーパネル６側の端部から上方にのび、かつ把持部２２に固着される第２の突片４８が設けられている。これにより、重複部４５は、断面略コ字状に形成される。
【００４７】
本実施形態の第１の突片４７は、最もソーラーパネル６側の凸部３３において、該凸部３３の斜面３３ｓの内側に沿ってのび、凸部３３の上面３３ｕに至ることなく終端している。また、第２の突片４８は、ケラバ側化粧カバー３１のソーラーパネル６側の端縁３１ｓから控えた位置に設けられている。このような突片４７、４８は、重複部４５とケラバ側化粧カバー３１との干渉を防ぎつつ、本体４６の上面の雨水が下面側に回り込むのを防ぐことができ、効果的に水仕舞することができる。
【００４８】
図１、図２及び図４に示されるように、返し部１６の妻側には、屋根縁カバー５０が取り付けられている。屋根縁カバー５０は、返し部１６に固着される第１カバー部５１、第１カバー部５１の妻側を覆う第２カバー部５２、及び第２カバー部５２の下方で、ケラバ側下地材１４の妻側を覆う第３カバー部５３を含んで構成される。このような屋根縁カバー５０は、返し部１６及びケラバ側下地材１４を妻側で覆うことができるため、ケラバへの雨水の浸入を防ぎつつ、ケラバ側Ｓ３の美観性を向上しうる。
【００４９】
また、第１カバー部５１は、返し部１６に沿って配置される基片５１ａと、基片５１ａの上端でケラバ側化粧カバー３１側に折れ曲がる折返し片５１ｂとを含んでいる。さらに、第１カバー部５１は、基片５１ａの下端から、外側にのびる延長片５１ｃが設けられている。
【００５０】
基片５１ａは、返し部１６及びケラバ側下地材１４の妻側に沿って配置され、ケラバ側下地材１４に、ビス等の固着具によって固着される。これにより、第１カバー部５１は、返し部１６及びケラバ側下地材１４に安定して固定される。
【００５１】
図７に拡大して示されるように、折返し片５１ｂは、基片５１ａの上端からソーラーパネル６側にのびる第１折返し片５５と、第１折返し片５５のソーラーパネル６側の端部から下方にのびる第２折返し片５６とを含んでいる。
【００５２】
第１折返し片５５は、下地鋼板５の返し部１６を上方で覆い、かつ野地板４に沿ってのびている。また、第２折返し片５６は、第１折返し片５５の端部からソーラーパネル６側に向かって、下方に傾斜してのびる。このような折返し片５１ｂは、ケラバ側Ｓ３において、屋根縁カバー５０の上面の雨水が野地板４側に回り込むのを防いで、効果的に水仕舞することができる。
【００５３】
図４に示されるように、第２カバー部５２は、その一端が第３カバー部５３の一端側に固着されている。また、第２カバー部５２の他端側は、第１カバー部５１の折返し片５１ｂに固着されている。図７に拡大して示されるように、第２カバー部５２の他端側は、第１折返し片５５及び第２折返し片５６に沿って配置されている。さらに、第２カバー部５２の他端側の端部は、第２折返し片５６の下端に揃えられている。このような第２カバー部５２は、折返し片５１ｂとともに、効果的に水仕舞することができる。
【００５４】
図４に示されるように、第３カバー部５３は、その一端側が、第１カバー部５１の延長片５１ｃに固着される。また、第３カバー部５３の他端側は、ケラバ側下地材１４の下端側に固着されている。このような第３カバー部５３は、第１カバー部５１及び第２カバー部５２の下方側で、ケラバ側下地材１４を隙間なく覆うことができる。
【００５５】
図７に示されるように、本実施形態のケラバ側化粧カバー３１のケラバ側Ｓ３の端縁３１ｔには、屋根縁カバー５０の折返し片５１ｂの内方を通ってケラバ側Ｓ３にのびる延長部７２が設けられている。このような延長部７２は、ケラバ側化粧カバー３１と、折返し片５１ｂとの隙間の寸法を気にすることなく、該隙間から雨水が浸入するのを防ぐことができる。
【００５６】
本実施形態の延長部７２は、ケラバ側化粧カバー３１の内面で、屋根面２に沿ってのびる本体７３と、本体７３のケラバ側Ｓ３の端部で上方にのびる第１の突片７４とを有している。さらに、延長部７２は、本体７３のソーラーパネル６側の端部から上方にのびる第２の突片７５が設けられている。これにより、延長部７２は、断面略コ字状に形成される。
【００５７】
本実施形態の第１の突片７４は、下地鋼板５の返し部１６から控えた位置で、本体７３の端部から上方にのび、第１折返し片５５に至ることなく終端している。また、第２の突片７５は、最もケラバ側Ｓ３の凸部３３において、該凸部３３の斜面３３ｓの内側に沿ってのび、凸部３３の上面３３ｕに至ることなく終端している。このような突片７４、７５は、延長部７２と第１折返し片５５との干渉、及び延長部７２とケラバ側化粧カバー３１との干渉を防ぎつつ、本体７３の上面の雨水が下面側に回り込むのを防ぐことができ、効果的に水仕舞することができる。
【００５８】
図６に示されるように、ソーラーパネル６の軒側の端縁６ｄと、軒との間の隙間２７には、野地板４の軒側に固着される水切板５８が設けられている。このような水切板５８は、ケラバ側化粧カバー３１（図４に示す）と同様に、瓦寸法（瓦のモジュール等）の制約を受けることなく、隙間２７の寸法を自由に定めることができる。従って、水切板５８は、隙間２７の寸法を気にすることなく、ソーラーパネル６を屋根面２に最大限に搭載するのに役立つ。
【００５９】
本実施形態の水切板５８は、野地板４に沿ってのびる基部５８ａ、基部５８ａの軒側の端部から軒樋１２に向かって傾斜する第１傾斜部５８ｂ、第１傾斜部５８ｂの下端から第１傾斜部５８ｂの下面に沿って折り返される折返し部５８ｃ、及び折返し部５８ｃの上端から軒側下地材１１に向かってのびる第２傾斜部５８ｄを含んでいる。このような水切板５８は、ソーラーパネル６の軒側の端縁６ｄと軒との間の隙間２７を、効果的に水仕舞することができる。さらに、水切板５８は、屋根勾配の沿って流れる雨水を軒樋１２に円滑に排出しうる。
【００６０】
また、軒側Ｓ２の支持金具２４には、棟側Ｓ１から軒側Ｓ２に向かって、上端から下方に傾斜してのびる水切板５９が設けられるのが望ましい。このような水切板５９は、ソーラーパネル６の上面に沿って流れる雨水を、軒樋１２に円滑に排出しうる。
【００６１】
図１、図２及び図６に示されるように、軒側Ｓ２には、水切板５８、５９、及び軒樋１２を覆う屋根縁カバー６０が取り付けられるのが望ましい。このような屋根縁カバー６０は、軒側Ｓ２の美観性を向上するのに役立つ。
【００６２】
図５に示されるように、棟と、ソーラーパネル６の棟側の端縁６ｕとの隙間２８には、棟側化粧カバー６３が配されている。このような棟側化粧カバー６３は、ケラバ側化粧カバー３１（図４に示す）と同様に、瓦寸法（瓦のモジュール等）の制約を受けることなく、隙間２８の寸法を自由に定めることができる。従って、棟側化粧カバー６３は、隙間２８の寸法を気にすることなく、ソーラーパネル６を屋根面２に最大限に搭載するのに役立つ。
【００６３】
さらに、本実施形態の下地鋼板５は、棟側化粧カバー６３の内方を通って棟側Ｓ１にのび、棟側化粧カバー６３を超えた位置までのびている。従って、屋根構造は、例えば、瓦を用いることなく、隙間２８の部分にも耐火性能を得ることができる。これにより、棟側化粧カバー６３には、不燃性が要求されないため、例えば、金属の他、樹脂等の任意の材料を採用することができる。
【００６４】
図１及び図５に示されるように、本実施形態の棟側化粧カバー６３は、ケラバ側化粧カバー３１（図４に示す）と同様に、屋根の流れ方向と直交する方向において、複数の凸部６４と複数の溝６５とが交互に複数形成された波板状に形成されている。凸部６４及び溝６５は、屋根勾配に沿ってのびている。このような棟側化粧カバー６３は、棟側化粧カバー６３の上面の雨水を、屋根勾配に沿って円滑に排出しうる。また、棟側化粧カバー６３は、屋根勾配に沿ってのびる溝模様が形成されるため、屋根面２の美観性を向上しうる。
【００６５】
図５に示されるように、棟側化粧カバー６３は、野地板４に固着される支持部６６の上に配置されている。支持部６６は、ケラバ側化粧カバー３１の支持部４１（図７に示す）と同様に、野地板４に固着されるベース部６９と、ベース部６９に固着される横桟７０とを含んでいる。また、横桟７０は、屋根の流れ方向と直交する方向にのびている。このような支持部６６は、棟側化粧カバー６３の溝６５に沿った曲げ変形を防ぐことができる。
【００６６】
図２及び図５に示されるように、本実施形態の棟側Ｓ１には、屋根縁カバー６８が取り付けられている。本実施形態の屋根縁カバー６８は、返し部１９に固着される第１カバー部６８ａ、第１カバー部６８ａの軒側を覆う第２カバー部６８ｂ、及び第２カバー部６８ｂの下方で、棟側下地材１３を覆う第３カバー部６８ｃを含んで構成される。このような屋根縁カバー６８は、返し部１９及び棟側下地材１３を覆うことができるため、軒への雨水の浸入を防ぎつつ、軒側Ｓ２の美観性を向上しうる。
【００６７】
本実施形態の屋根構造は、片流れであるものが例示されたが、これに限定されるわけではない。例えば、切妻屋根、寄棟屋根又は平屋根などでもよく、また、棟違いに形成されてもよい。
【００６８】
以上、本発明の特に好ましい実施形態について詳述したが、本発明は図示の実施形態に限定されることなく、種々の態様に変形して実施しうる。
【符号の説明】
【００６９】
２      屋根面
５      下地鋼板
６      ソーラーパネル
１６      返し部
２６      隙間
３１      ケラバ側化粧カバー
【図１】
2014189993.tif 000003
【図２】
2014189993.tif 000004
【図３】
2014189993.tif 000005
【図４】
2014189993.tif 000006
【図５】
2014189993.tif 000007
【図６】
2014189993.tif 000008
【図７】
2014189993.tif 000009